(57)【特許請求の範囲】
【請求項１】
硬性金属材料から構成されているアンカーボルトであって、当該アンカーボルトは、長尺中心軸方向の両端部に開口部が設けられている内筒を含む中空状円筒体で構成された本体部と、当該本体部の外表面上に突出して形成された雄型螺旋状ネジ部と、当該本体部の当該内筒の内壁面に形成されている雌型螺旋状ネジ部と、当該本体部の長尺中心軸方向に於ける一方の端部の外表面部に設けられた、当該開口部を囲繞する環状の円錐台型尖塔部と、当該本体部の長尺中心軸方向に於ける他方の端部の外表面部に設けられた、当該開口部を囲繞する環状の、外部回転機構の回転駆動部と係合する回転駆動部係合部とを含み、且つ当該雄型螺旋状ネジ部の当該長尺中心軸方向と直交する方向で見た断面形状は、当該本体部の当該円錐台型尖塔部に対向する面が、当該本体部の外表面から当該中空円筒体の当該回転駆動部係合部の方向に向けて、当該中空円筒体の長尺中心軸方向に対して所定角度を有して形成された斜面部で形成された第１の面で形成されており、一方、当該本体部の当該回転駆動部係合部に対向する面が、当該中空円筒体の長尺中心軸方向に対して直交若しくは直交に近い角度を有して形成された平面部で構成された第２の面とから構成されている事を特徴とするアンカーボルト。
【請求項２】
当該環状の円錐台型尖塔部に於ける当該外表面の当該長尺中心軸方向に対して傾斜角度は、当該雄型螺旋状ネジ部に於ける当該第１の面の当該中空円筒体の長尺中心軸方向に対する傾斜角度と略等しい事を特徴とする請求項１に記載のアンカーボルト。
【請求項３】
当該雄型螺旋状ネジ部の当該第１の面が、当該環状の円錐台型尖塔部に於ける当該外表面の一部から連続的に延展されて形成されている事を特徴とする請求項１又は２に記載のアンカーボルト。
【請求項４】
当該アンカーボルトは、当該本体部の当該内筒の内壁面に形成されている雌型螺旋状ネジ部と螺合する雄型螺旋状ネジ部を有するネジ込挿入部と当該ネジ込挿入部の一方の端部に、当該アンカーボルトにより着脱自在に一時的或いは継続して保持されるべき機能部材が接合されている挿入係止部材と組みを形成している事を特徴とする請求項１乃至３の何れかに記載のアンカーボルト。
【請求項５】
当該機能部材は、ロープ、ワイヤー、テープ等の長尺物を保持・係止する機能を有する保持。係止部材或いは人或いは車両等の安全を確保する為の表示機能を有する手摺、誘導柵或いは標識等を含む表示部材を含むものである特徴とする請求項４に記載のアンカーボルト。
【請求項６】
当該アンカーボルトは、当該本体部の両端部に於ける当該中空状円筒体の当該開口部の少なくとも一方の端部に、当該開口部を着脱自在に被覆出来る、蓋部が設けられている事を特徴とする請求項１乃至５の何れかに記載のアンカーボルト。
【請求項７】
当該アンカーボルトは、コンクリート材料、金属材料、アスファルト材料、石材材料等で構成された構築物の内部に埋設されるものである事を特徴とする請求項１乃至６の何れかに記載のアンカーボルト。
【請求項８】
当該アンカーボルトと組を形成する当該挿入係止部材は、当該ネジ込挿入部と当該ネジ込挿入部の一方の端部に設けられているコーン型の道路安全標識からなる機能部材とが相互に接合されているものである事を特徴とする請求項４に記載のアンカーボルト。
【請求項９】
コンクリート材料、金属材料、アスファルト材料、石材材料等で構成された硬性の構築物の外表面の所定の部位に、予め適宜のせん孔手段を使用して、所定の深さ（Ｆ）を有し且つ、上記請求項１乃至８で規定されている当該アンカーボルトに於ける当該雄型螺旋ネジ部の最大外径部の直径（Ｂ）よりも小さな内径（Ｄ）を有する円筒形の孔部を形成した後、当該アンカーボルトの当該円錐台型尖塔部を当該穴部に嵌入させた後、当該アンカーボルトに於ける当該回転駆動部係合部を外部の適宜の機構を有する回転押圧手段に係合させ、当該回転押圧手段を適宜回転させつつ押圧させて当該アンカーボルトを当該硬性の構築物内に埋め込む事を特徴とするアンカーボルト設置方法。
【請求項１０】
当該円筒形の孔部の所定の深さ（Ｆ）は、当該アンカーボルトを当該円筒形の孔部内に設置した際に、当該当該回転駆動部係合部の当該開口部に当接された当該蓋部の頂点部が当該硬性の構築物の外表面から突出しない様な深さに設定する事を特徴とする請求項９に記載のアンカーボルト設置方法。
【発明の詳細な説明】
【技術分野】
【０００１】
本発明は、アンカーボルト及びアンカーボルトの設置方法に係わり、特には、コンクリート材料、金属材料、アスファルト材料、石材材料等で構成された硬性或いは剛性を有する適宜の構築物の内部に埋設して使用するアンカーボルト及び当該アンカーボルトの設置方法に関するものである。
【背景技術】
【０００２】
従来より、道路、橋梁、橋げた、ビルディング、駐車場、防波堤、防潮堤、ダム、土砂流防止堤、港湾施設等のコンクリート材料、金属材料、アスファルト材料、石材材料等で構成された硬性或いは剛性を有する適宜の構築物に、後付けで、何らかの物体を、継続的に或いは一時的に取り付けたり、配置したりする必要が生じた場合には、一般的には、アンカーボルトと称される部材を当該構築物に埋め込み、当該埋め込んだアンカーボルトに適宜の必要な機能を有する各種の機能部材を着脱自在或いは固定的に係合、固着させ、当該機能部材に必要な機能を実行させるように構成された技術が知られている。
【０００３】
然しながら、当該硬性或いは剛性を有する構築物に所望のアンカーボルトを埋め込む方法は、簡単なものではなく、かなりの技術が要求されている。
その為、従来では、合板、石膏ボード、プラスチック製ボード等からなる、薄く且つ柔らかい天井板や壁板に使用されるアンカーボルトとしては、多種多様な構造を持ったアンカーボルトの構造が提案されているのに対し、当該硬性或いは剛性を有する、厚みのある構築物に埋め込む為のアンカーボルトの構造、或は当該アンカーボルトを埋め込む方法に関しては、その技術の困難性故に、これまではあまり多くの技術は提案されていないのが現状である。
【０００４】
処で、上記した硬性或いは剛性を有する厚みのある構築物に埋め込む為の当該アンカーボルトの構造、或は当該アンカーボルトを埋め込む方法に関して、従来では、主に以下の様な４種類の構造からなるアンカーボルトが知られている。
即ち、当該第１の構造としては、アンカーボルトを予めコンクリート等の構造物に設けられた孔部内に挿入する際に、当該孔部と当該アンカーボルトとの間に適宜の接着材を注入して、当該孔部内面部と当該アンカーボルトの外表面とを接着固定した構造とするものである。
【０００５】
係る第１の構造の例としては、例えば、特開平１１−３１５５３７号公報（特許文献１）や特開２０１２−２４６７０３号公報（特許文献２）等が見られるが、係る構造のアンカーボルトでは、接着剤の効果が弱く、付加荷重の上限が低く、又、重量物を長期間に亘って保持する事は困難であると共に当該接着剤の経時的な耐久性の劣化が大きく、短期間でアンカー機能を喪失すると言う欠点があり、使用条件が極めて限定されると言う問題を有している。
【０００６】
又、当該第２の構造としては、アンカーボルトの外部表面に適宜の凹凸部を設けておき、当該アンカーボルトをコンクリート等の構造物に設けられた孔部内に挿入する際に、当該孔部と当該アンカーボルトの当該凹凸部との間の摩擦力を利用して、当該アンカーボルトを当該孔部内に保持固定する様にした構造を有するものであり、当該第２の構造の例としては、例えば、特開２０１３−１１１６６号公報（特許文献３）や、特表２０１１−５１６７９５号公報（特許文献４）等が見られる。
【０００７】
然しながら、係る構造のアンカーボルトでは、当該アンカーボルトが当該コンクリート等の構造物に設けられた孔部内に挿入された際には、当該アンカーボルトの当該凹凸部のみが当該孔部の内壁面とて摩擦接触する事によってのみ当該アンカーボルトが当該孔部内に保持固定されるもので有る為、前記した当該第１の構造のアンカーボルトと同様の問題が存在しているので、大きな荷重が付加されるアンカーボルトとしては、保持効果が低く且つ長期間の使用に耐えないと言う問題が存在している。
【０００８】
一方、当該第３の構造としては、アンカーボルトの外表面にらせん状のネジ部を形成しておき、当該アンカーボルトの当該ネジ部の外径よりも若干短い内部直径を有する孔部を当該コンクリート等の構造物に設けると共に、当該孔部内に当該アンカーボルトを外部からの回転力によりねじ込み、当該ネジ部が、当該コンクリート等の構造物の当該穴部の内壁面に螺子溝を形成しながら侵入して固定されると言う構造を有している。
そして、当該第３の構造の例としては、例えば、特許第４３６９７８８号公報（特許文ぶ献５）や、実用新案登録第３０８７９３２号公報（特許文献６）等が見られる。
【０００９】
然しながら、係る構造のアンカーボルトでは、当該アンカーボルトが回転する間に、当該ネジ部が当該コンクリート等の構築物に於ける内部壁面を切削しながら当該穴部内の内部に向けて侵入するものであるが、当該ネジ部が当該コンクリート等の物体との接触によって、当該ネジ部に破断、変形が頻発して脆化するので、高重量の係止保持製品を安全且つ確実にしかも長期間に亘って、係止保持することが不可能であり、然も、係る構造のアンカーボルトでは、せいぜい５乃至８ｍｍ程度の直径を有する円筒形状の本体部を持つアンカーボルトしか実用的なアンカーボルトとして使用する事が出来ず、高重量物による高負荷を保持する様な用途には使用することが不可能であった。
【００１０】
更に、当該第４の構造としては、アンカーボルトの当該孔部への中空円筒体部からなる挿入部分の先端部の両側部分に、長尺軸方向に沿った一対の半割状のスリットを設けると共に、当該挿入部分の先端部に当該長尺軸方向に沿って、移動可能な円錐台形状を有する拡張部材を設け、当該アンカーボルトを、その先端部にスリットが形成されていて且つ当該拡張部材が接続されている状態のまま、当該孔部内に挿入し、その後、適宜の回転手段を使用して当該拡張部材を当該アンカーボルトの後端部の方向に向けて移動させ、当該一対のスリット部分を左右に拡張離反させ、当該スリット部分を、当該孔部の内壁面に当接させることにより、当該アンカーボルトを当該孔部の内壁面に固定させる様に構成されたアンカーボルトである。
係る構造を有する当該第４の構造のアンカーボルトの例としては、例えば、特開２００８−０３９０９１号公報（特許文献７）等が見られる。
【００１１】
然しながら、係る構造のアンカーボルトに於いては、その構造が複雑であるため、製造コストが高価なものとなる事から、当該アンカーボルトを大量に使用する分野に於いては、実用化には不向きなものであった。
【先行技術文献】
【特許文献】
【００１２】
【特許文献１】特開平１１−３１５５３７号公報
【特許文献２】特開２０１２−２４６７０３号公報
【特許文献３】特開２０１３−１１１６６号公報
【特許文献４】特表２０１１−５１６７９５号公報
【特許文献５】特許第４３６９７８８号公報
【特許文献６】実用新案登録第３０８７９３２号公報
【特許文献７】特開２００８−０３９０９１号公報
【発明の概要】
【発明が解決しようとする課題】
【００１３】
本願発明は、上記した点に鑑みてなされたものであり、その目的とするところは、コンクリートや石材等からなる硬性或いは剛性を有する厚みのある構築物に、後付けにより各種の機能を有する部材を容易に係止保持させる事が可能なアンカーボルトであって、構造が簡易で、低コストに製造が出来、且つ当該構築物に対して容易に且つ迅速に埋め込み操作が実行出来、更には、高負荷の掛かる重量物体であっても、長期間安定して保持強力の低下も来さずにそれを保持することの出来るアンカーボルトの構造、或は当該アンカーボルトを提供することにある。
【課題を解決するための手段】
【００１４】
本発明は、上記した目的を達成するために、上記した第３のタイプの構造を有するアンカーボルトを改良する事を基本的な技術思想とするものであって、その第１の態様としては、基本的には、硬性金属材料から構成されているアンカーボルトであって、当該アンカーボルトは、長尺中心軸方向の両端部に開口部が設けられている内筒を含む中空状円筒体で構成された本体部と、当該本体部の外表面上に突出して形成された雄型螺旋状ネジ部と、当該本体部の当該内筒の内壁面に形成されている雌型螺旋状ネジ部と、当該本体部の長尺中心軸方向に於ける一方の端部の外表面部に設けられた、当該開口部を囲繞する環状の円錐台型尖塔部と、当該本体部の長尺中心軸方向に於ける他方の端部の外表面部に設けられた、当該開口部を囲繞する環状の、外部回転機構の回転駆動部と係合する回転駆動部係合部とを含み、且つ当該雄型螺旋状ネジ部の当該長尺中心軸方向と直交する方向で見た断面形状は、当該本体部の当該円錐台型尖塔部に対向する面が、当該本体部の外表面から当該中空円筒体の当該回転駆動部係合部の方向に向けて、当該中空円筒体の長尺中心軸方向に対して所定角度を有して形成された斜面部で形成された第１の面で形成されており、一方、当該本体部の当該回転駆動部係合部に対向する面が、当該中空円筒体の長尺中心軸方向に対して直交若しくは直交に近い角度を有して形成された平面部で構成された第２の面とから構成されている事を特徴とするアンカーボルトである。
【００１５】
又、本発明に係る第２の態様は、コンクリート材料、金属材料、アスファルト材料、石材材料等で構成された硬性の構築物の外表面の所定の部位に、予め適宜のせん孔手段を使用して、所定の深さ（Ｆ）を有し且つ、上記した構成からなる当該アンカーボルトに於ける当該雄型螺旋ネジ部の最大外径部の直径（Ｂ）よりも小さな内径（Ｄ）を有する円筒形の孔部を形成した後、当該アンカーボルトの当該円錐台型尖塔部を当該穴部に嵌入させた後、当該アンカーボルトに於ける当該回転駆動部係合部を外部の適宜の機構を有する回転押圧手段に係合させ、当該回転押圧手段を適宜回転させつつ押圧させて当該アンカーボルトを当該硬性の構築物内に埋め込む事を特徴とするアンカーボルト設置方法である。
【発明の効果】
【００１６】
本発明は、上記のように構成したので、以下のような効果を奏する。
（１）コンクリートや石材等からなる硬性或いは剛性を有する厚みのある構築物に、後付けにより各種の機能を有する部材を容易に係止保持させる事が可能なアンカーボルトであって、構造が簡易で、低コストに製造が出来、且つ当該構築物に対して容易に且つ迅速に埋め込み操作が実行出来、更には、高負荷の掛かる重量物体であっても、長期間安定して保持強力の低下も来さずにそれを保持することの出来るアンカーボルトの構造、或は当該アンカーボルトを提供することが可能となる。
【００１７】
（２）更に、本発明に於いては、当該アンカーボルトを所定の部位に取り付ける作業が簡易であり、その結果、作業時間が従来のアンカーボルトの取り付け作業時間に比べて極端に短縮されるので、例えば、本発明に於ける当該機能部材として道路標識或いは道路誘導標識等を使用する場合には、作業時間の短縮化や作業要員の削減化が可能で有ると共に、車両の通交を制限する時間も短縮されるので、交通渋滞の緩和に寄与し、それによって二酸化炭素の排出量の削減にも大いに貢献する事が可能となる。
【００１８】
（３）又、本発明に係る複数個の当該アンカーボルトを、駐車場や公衆が大勢集まる場所等に於いて予め、所望の部位に埋め込んでおく事により、通常は、車両や人間の移動に障害を与える事は無く、必要な場合にのみ、所望の誘導標識或いは誘導柵、ロープ又はテープ等の支持部材等を、必要な部位に埋め込んだ当該アンカーボルトに臨機応変に差し替えや取り外しを行う事が可能となるので、車両や公衆の整理・誘導作業が効率的に実行出来る。
【図面の簡単な説明】
【００１９】
【図１】図１（Ａ）及び図１（Ｂ）は、本発明に係るアンカーボルト１の一具体例の構成を示す側面図及び断面図である。
【図２】図２（Ａ）及び図２（Ｂ）は、本発明に係るアンカーボルト１の一具体例の構成を示す斜視図である。
【図３】図３（Ａ）乃至図３（Ｄ）は、本発明に係るアンカーボルト１に対して組として使用される挿入係止部材の具体例の構成を説明する側面図である。
【図４】図４は、本発明に係るアンカーボルト１を構築物中に形成された孔部内に埋設した状態を示す側面断面図である。
【図５】図５は、本発明に使用される従来公知の回転駆動手段を示す図である。
【図６】図６は、本発明に係るアンカーボルト１の一具体例の構成に於けるネジ部の断面形状を説明する図。
【発明を実施するための形態】
【００２０】
以下に、本発明に係る当該アンカーボルトの一具体例の構成について図面を参照しながら詳細に説明する。
即ち、図１及び図６は、本発明に係る当該アンカーボルト１の一具体例の構成を説明する図であって、図中、硬性金属材料から構成されているアンカーボルト１であって、当該アンカーボルト１は、長尺中心軸Ｃ方向の両端部３、３’に開口部４、４’が設けられている内筒５を含む中空状円筒体で構成された本体部２と、当該本体部２の外表面６上に突出して形成された雄型螺旋状ネジ部７と、当該本体部２の当該内筒５の内壁面に形成されている雌型螺旋状ネジ部８と、当該本体部２の長尺中心軸Ｃ方向に於ける一方の端部３の外表面部に設けられた、当該開口部４を囲繞する環状の円錐台型尖塔部９と、当該本体部２の長尺中心軸Ｃ方向に於ける他方の端部３’の外表面部６に設けられた、当該開口部４’を囲繞する環状の、インパクトドライバー等の任意の外部回転機構１０の回転駆動部１０’と係合する回転駆動部係合部９’とを含み、且つ当該雄型螺旋状ネジ部７の当該長尺中心軸Ｃ方向と直交する方向で見た断面形状は、当該本体部２の当該円錐台型尖塔部９に対向する面が、当該本体部２の外表面６から当該中空円筒体の当該回転駆動部係合部９’の方向に向けて、当該中空円筒体の長尺中心軸Ｃ方向に対して所定角度を有して形成された斜面部Ｓ１で形成された第１の面１１で形成されており、一方、当該本体部２の当該回転駆動部係合部９’に対向する面が、当該中空円筒体の長尺中心軸Ｃ方向に対して直交若しくは直交に近い角度を有して形成された平面部Ｓ２で構成された第２の面１２とから構成されている事を特徴とするアンカーボルト１が示されている。
【００２１】
即ち、本発明に於ける当該アンカーボルト１は、コンクリート材料、金属材料、アスファルト材料、石材材料等で構成された硬性の構築物内にネジ込操作によって容易に埋め込まれる様に構成されたものであり、硬度の高い金属材料を使用して一体的に成型加工されたものであって、従来のアンカーボルトに比べて全ての構造部分で、寸法等の各スペックが大きく成る様に設定されており、それによって、当該特には、当該硬性の構築物に予め設定された穴部内に回転しながら挿入される際に、当該硬性の構築物を、容易に切削することが可能で、当該切削操作に於いても、破損されないネジ部先端部を有するものである。
【００２２】
本発明に於いて当該アンカーボルトに使用される当該高度の高い硬性金属材料としては、特に限定されるものではないが、例えば、ＳＳ４００、ＳＳ４９０、ＳＵＳ３０４等の金属材料を使用する事が望ましい。
更に、本発明に於ける構造上の特徴の一つとしては、当該アンカーボルト１に於ける中空円筒体で構成された当該本体部の外部表面上に形成された雄型螺旋状ネジ部８の形状にあり、詳しくは、当該本発明に於いて使用される当該雄型螺旋状ネジ部８の形状は、従来の同種のアンカーボルトに使用されていた雄型螺旋状ネジ部に比べて、大型化され、且つ重厚な構造を採用しており、それによって、当該雄型螺旋状ネジ部の強度は大幅に向上し、且つ前記した第１の面１１と第２の面１２との交差部である当該ネジ部８の頂点部が撚り鋭い鋭角に形成されることにより、当該コンクリート等の硬性を有する構築物５０を切削する際の刃体としての機能も大幅に向上すると共に、刃体としての耐久性も向上するものである。
【００２３】
一方、上記した通り、本発明に於ける当該雄型螺旋状ネジ部８の当該第２の面１２が、常に、当該本体部２の中心軸線Ｃに対して直交する方向に面取りされているので、一旦当該雄型螺旋状ネジ部の当該先端部及び当該先端部に連接されている当該第２の面１２の少なくとも一部が、当該構築物の当該コンクリート等の材料内部に入り込んだ後では、当該第２の面１２の当該垂直面Ｓ２が大きな抵抗部材となることから、当該アンカーボルト１が当該硬性の構築物５０に形成された孔部５１の内壁面内に喰い込み、当該アンカーボルト１を引き抜こうとするバイアス力に対して、強大な保持力を発生する。
【００２４】
即ち、本発明に係る当該アンカーボルト１に於いては、当該環状の円錐台型尖塔部９に於ける当該外表面Ｓ３（９−１）の当該長尺中心軸Ｃ方向に対して傾斜角度（Ｑ１’）は、当該雄型螺旋状ネジ部７に於ける当該第１の面１１の当該中空円筒体の長尺中心軸Ｃ方向に対する傾斜角度（Ｑ１）と略等しい事が望ましい。
更に、本発明に於ける当該アンカーボルト１に於いては、当該雄型螺旋状ネジ部７の当該第１の面１１（Ｓ１）が、当該環状の円錐台型尖塔部９に於ける当該外表面９−１の面Ｓ３の一部である部位Ｑから連続的に延展されて形成されている事も好ましい具体例である。
【００２５】
此処で、本発明に於ける当該アンカーボルト１の外表面６に形成される当該雄型螺旋状ネジ部７の具体的な構造の例を図１及び図６を参照しながら以下に説明する。
即ち、当該アンカーボルト１に於ける当該本体部２の外径（Ａ）は２０mm乃至３０ｍｍで、好ましい具体例としては２４ｍｍであり、当該雄型螺旋ネジ部７の最大外径部の直径（Ｂ）は３０ｍｍ乃至４０ｍｍで、好ましい具体例としては３２ｍｍであり、当該本体部２の外径（Ａ）と当該雄型螺旋ネジ部７の最大外径部の直径（Ｂ）との比（Ｂ／Ａ）が、０．７乃至１．５であり、好ましい具体例としては１．３３である。
【００２６】
更に、本発明に係る当該アンカーボルト１に於ける当該雄型螺旋ネジ部７のピッチ（Ｐ）が８ｍｍ乃至１５ｍｍあり、好ましい具体例としてはで１０ｍｍである。
又、当該アンカーボルト１に於ける当該雄型螺旋ネジ部７の断面形状は、当該本体部の外表面から当該雄型螺旋ネジ部の先鋭状先端部迄の距離（ｈ）は３ｍｍ乃至６ｍｍであり、好ましい具体例としては４ｍｍである。
【００２７】
一方、当該雄型螺旋ネジ部の断面形状に於ける当該第１の面の当該中空円筒体の長尺中心軸方向に対する傾斜角度（Ｑ１）が３５度乃至５０度であり、好ましい具体例としてはで４０度である。
又、当該第２の面の当該中空円筒体の長尺中心軸方向に対する傾斜角度（Ｑ２）が８５度乃至９３度であり、好ましい具体例としては９０度である。
更に、当該第１と第２の面で形成される当該雄型螺旋ネジ部の先鋭状先端部の内角（Ｑ３）が３７度乃至６０度であり、好ましい具体例としてはで５０度であり、  且つ当該第１と第２の面が当該本体部の外表面と接合される部位間の長さ（Ｓ）が３ｍｍ乃至６ｍｍであり、好ましい具体例としては４ｍｍである。
【００２８】
次に、本発明に於ける他の特徴点としては、本発明に係る当該アンカーボルト１の当該円筒状の本体部２は、その内部を，当該長尺中心軸方向Ｃに沿って、且つ同一の中心軸線を持った、完全に貫通した中空状円筒体からなる内筒５が形成されており、係る内筒５は、当該本体部２の強度を維持したままで、軽量化を図ると共に、後述する様に、当該本体部の一方の端部３’に、図３に示される様な、適宜の機能を有する機能部材３０を着脱自在に係合保持する様に機能するものである。
即ち、本発明に於ける当該内筒５の内壁面には、前記した通り、適宜の螺旋溝を有する雌型螺旋状ネジ部８が設けられており、当該雌型螺旋状ネジ部８は、当該機能部材３０の適宜の端部に設けられている挿入突起部３１に形成されている雄型螺旋状ネジ部３２に対応して形成されるものである。
【００２９】
又、本発明に於ける当該アンカーボルト１の当該本体部２の一方の端部３には、当該内筒５により形成されている当該円形の開口部４を囲繞する様に配置されている環状の円錐台型尖塔部９が設けられているものであり、当該円錐台型尖塔部９は、当該アンカーボルト１を、当該構築物５０に形成された適宜の孔部５２内に容易に誘導し挿入が出来る様に構成されていると同時に、当該雄型螺旋状ネジ部７の頂点部が刃状体として、当該構築物５０の内壁面内に容易に侵入出来る様な構成を採用している。
【００３０】
係る当該円錐台型尖塔部９の側壁部の傾斜角度及びその高さは特に限定されるものではなく、適宜に決定する事が可能である。
一方、本発明に於ける当該アンカーボルト１の当該本体部２の他方の端部３’には、当該開口部４’を囲繞する様に配置、形成された環状で、例えば、図５に示す様な、適宜の外部回転機構１０の回転駆動部１０’と係合する回転駆動部係合部９’が設けられている。
当該外部回転機構１０は、その構造は、特に限定されるものではなく、従来周知である、例えば、インパクトドライバー等の装置が使用可能である。
又、当該回転駆動部係合部９’の外部周縁の形状も、特に限定されるものではないが、当該回転駆動部１０’と容易に且つ着脱自在に接合して、当該外部回転機構１０の回転動作を受ける様な構造である必要があり、一般的には、六角頭等の外部形状を有している事が望ましい。
【００３１】
次に、本発明に係る当該アンカーボルト１は、例えば、コンクリート材料、金属材料、アスファルト材料、石材材料等で構成された硬性の構築物の内部に埋設されるものであって、その目的は、当該硬性の構築物に、何らかの機能を有する部材を後付けして使用する為に設計されたものである。
【００３２】
即ち、本発明に於ける当該アンカーボルト１の主な目的は、上述した通り、建築材料、工事用足場、看板、ワイヤー、鉄筋、鋼材等の重量物を当該コンクリート等で構成された構築部に取り付ける為の係止保持部材を着脱自在に保持固定する為に使用するか、或は、駐車場や公衆が大勢集まる場所等に於いて予め、所望の部位に埋め込んでおく事により、通常は、車両や人間の移動に障害を与える事は無く、必要な場合にのみ、所望の誘導標識或いは誘導柵、ロープ又はテープ等の支持部材等を、必要な部位に埋め込んだ当該アンカーボルトに臨機応変に差し替えや取り外しを行う事が可能となる様に使用するものであり、その為に、当該アンカーボルト１は、当該本体部２の当該内筒５の内壁面４０に形成されている雌型螺旋状ネジ部８と螺合する雄型螺旋状ネジ部３２を有するネジ込挿入部３１と当該ネジ込挿入部３１の一方の端部に、当該アンカーボルト１により着脱自在に一時的或いは継続して保持されるべき機能部材３０が接合されている挿入係止部材３３とが組みを形成していて、ユーザーが、所望の部位で所望の機能を発揮させたい当該挿入係止部材３３を複数個の当該挿入係止部材３３の中から選択して使用する様に構成されているものである。
【００３３】
本発明に於ける当該挿入係止部材３３に設けられている当該機能部材３０としては、例えば、図３（Ａ）に示されている様に、ロープ、ワイヤー等の長尺物を保持・係止する機能を有するフック状の保持・係止部材３４や、鉄筋、鋼材、足場用金属製鋼材をボルト或いは、図３（Ｂ）に示されている様な、ナット等を介して取り付けられる様な穴あき状の係止部材３５、或いは、図３Ｃ）に示されている様な、テープ等を巻き取り、巻きだし可能な部材３６を有する筒状体３７、或は、図３（Ｄ）に示されている様な、人或いは車両等の安全を確保する為の表示機能３８を有する手摺、誘導柵或いは標識等を含む表示部材３９等が含まれる。
【００３４】
本発明に於ける当該挿入係止部材３３として特に使用される可能性の大きい具体例としては、図３（Ｄ）に示される様な、当該ネジ込挿入部３１と当該ネジ込挿入部３１の一方の端部に設けられているコーン型の道路安全標識３９からなる機能部材３０とが相互に接合されているものである。
【００３５】
本発明に於ける当該アンカーボルト１と当該挿入係止部材３３の使用方法としては、当該構築物５０の所望の部位に適宜の深さと内径を持った孔部５２を形成し、当該孔部５２内に、本発明に係る当該アンカーボルト１を挿入し、図５に示す様に、適宜の外部回転機構１０の回転駆動部１０’と当該アンカーボルト１の当該回転駆動部係合部９’とを係合させた後、当該外部回転機構１０を所定の方向に回転１させながら、当該アンカーボルト１の当該雄型螺旋状ネジ部７を当該構築物５０に設けた当該孔部５２の内壁部表面に喰い込ませながら当該本体部２を徐徐に当該孔部５２内に侵入させ、当該駆動部係合部９’の最端縁部Ｌ１が、当該構築物５２の外表面Ｌ０と同レベルか、それよりも若干低くなった位置に到達した時点で、回転駆動部１０’と当該アンカーボルト１の当該回転駆動部係合部９’との係合を、開口部４’に、所望の選択された当該機能部材３０に於ける当該挿入係止部材３３を挿入してネジ止めすることによって、当該アンカーボルト１に当該機能部材３０を着脱自在に取り付け且つ係止させる事が可能となる。
【００３６】
本発明に於いて、当該アンカーボルト１を当該構築物５０に設けられた当該孔部５２は、後日、必要に応じて、当該孔部５２から取り出して、当該孔部５２を土で埋め戻すか、或は他の構成、例えば、長さ及び外径が異なる他のアンカーボルト１を埋め込む事も可能である。
又、一旦当該構築物５０内に埋め込まれた当該アンカーボルト１を一旦取り外した後、後日、再度同じ当該機能部材３０、若しくは同じスペックを有する当該他の機能部材３０を、当該アンカーボルト１に再度、係止、保持させる場合もあるが、その間、当該アンカーボルト１の当該回転駆動部係合部９’の開口部４’には、合成樹脂等で形成された適宜の蓋部６０を着脱自在に取り付けておく事も好ましい具体例である。
【００３７】
係る構成により、当該アンカーボルト１が使用されていない間、当該アンカーボルト１の、当該開口部４’に、土砂、石、落ち葉、煙草カス、ゴミ類、液体等が侵入することを防止することが可能となる。
更に、当該蓋部６０の高さを出来るだけ低く抑え、且つ当該蓋部６０の頂面を球面或いは、湾曲面とすることによって、当該蓋部６０が当該アンカーボルト１の当該転駆動部係合部９’の開口部４’に取り付けられている場合でも、当該構築物５０の外表面Ｌ０から大きく突出しない様に設計しておけば、当該蓋部６０が車両或いは人の通行に障害になる事は無い。
【００３８】
一方、本発明に於いては、当該アンカーボルト１の当該本体部２の他方の端部３に設けられている当該円錐台型尖塔部９の先端部に形成されている当該開口部４にも、同様の蓋部６１を着脱自在に取り付ける事も好ましい具体例である。
即ち、本発明に於ける当該アンカーボルト１を、上記した様に、当該構築物５０に埋め込む操作を実行している間に、当該構築物５０の孔部５２に於ける当該内壁面を当該雄型螺旋状ネジ部７により切削している間に、当該切削操作により発生した、当該構築物５０の削り滓、脱落粒子、当該構築物５０の粒状体等が当該開口部４より、当該内筒５内に入り込み、ネジ溝を塞いだり、当該機能部材３０を有する当該挿入係止部材３３の回転操作の障害となる事が多く、従って、当該円錐台型尖塔部９の先端部に形成されている当該開口部４にも、同様の蓋部６１を着脱自在に取り付ける事も好ましい。
【００３９】
更に、本発明に於いては、当該アンカーボルト１を当該孔部５２内に挿入する際、該アンカーボルト１を当該孔部５２内に更に強力に保持・固定させる必要がある場合には、当該孔部５２内に、予め用意しておいた適宜の接着固定材料５１を注入しておき、その後、当該アンカーボルト１を当該孔部５２内に挿入して、ネジ込み、固定するものであるが、それによって当該接着剤は、圧縮されて、容易に当該円錐台型尖塔部９に設けられている当該開口部４から当該内筒５の中に入り込み、そこで硬化するので、当該挿入係止部材３３の挿入操作が妨害され、また当該樹脂を内筒５にから除去する事が必要となってくるが、当該本発明に係る具体例に於いては、当該十分な保持強度を形成するには、例えば、当該円錐台型尖塔部９の先端部に形成されている当該開口部４にも、同様の蓋部６１を着脱自在に取り付ける事も好ましい。
以上述べた通り、当該アンカーボルト１は、当該本体部２の両端部３、３’に於ける当該中空状円筒体５の当該開口部４，４’の少なくとも一方に、当該開口部４，４’を着脱自在に被覆出来る、蓋部６０、６１が組みの一部として設けられているものである。
【００４０】
次に、本発明に於ける第２の態様に付いて詳細に説明する。
即ち、発明に於ける第２の態様は、コンクリート材料、金属材料、アスファルト材料、石材材料等で構成された硬性の構築物５０の外表面Ｌ０の所定の部位に、予め適宜の穿孔手段（図示せず）を使用して、所定の深さ（Ｆ）を有し且つ、上記した当該アンカーボルト１に於ける当該雄型螺旋ネジ部７の最大外径部の直径（Ｂ）よりも小さな内径（Ｄ）を有する円筒形の孔部５２を形成した後、当該アンカーボルト１の当該円錐台型尖塔部９を当該穴部５２に嵌入させた後、当該アンカーボルト１に於ける当該回転駆動部係合部９’を外部の適宜の機構を有する回転押圧手段１０’に係合させ、当該回転押圧手段１０’を適宜回転させつつ押圧させて当該アンカーボルト１を当該硬性の構築物内に埋め込む様に構成されたアンカーボルト設置方法である。
係る本発明の第２の態様に於いて使用される当該硬性の構築物５０の外表面Ｌ０の所定の部位に所望の孔部５２を穿孔する為の装置は、特に限定はされるものではなく、従来周知の穴あけ手段を使用する事が可能である。
【００４１】
一方、本発明の当該第２の具体例に関しては、当該アンカーボルト１に於ける当該雄型螺旋ネジ部７の最大外径部の直径（Ｂ）と当該円筒形の孔部５２の内径（Ｄ）との比率（Ｄ／Ｂ）がＥ１乃至Ｅ２である事が好ましい具体例である。
更に、本発明に於ける当該第２の態様に関して更に説明するならば、当該円筒形の孔部５２の所定の深さ（Ｆ）は、当該アンカーボルト１を当該円筒形の孔部５２内に設置した際に、当該回転駆動部係合部１０’の当該開口部４に当接された当該蓋部６１の頂点部が当該硬性の構築物の外表面から突出しない様な深さに設定する事を特徴とする請求項１３又は１４に記載のアンカーボルト設置方法である。
【産業上の利用可能性】
【００４２】
本発明は、硬質の材料で成形されている構築物５０に孔部を形成し、当該孔部に当該アンカーボルト１を挿入して固定させ、当該アンカーボルト１に所望の機能部材３０を取り付ける事により、所望の機能部材を当該構築物上に着脱自在の形式で製造すると言う分野で使用する事が可能である。
【符号の説明】
【００４３】
１  アンカーボルト
２  本体部
３  中空状円筒体の一方の端部３
３’  中空状円筒体の他方の端部
４、４’  開口部
５  内筒7
６  本体部の外表面
７  雄型螺旋状ネジ部
８  雌型螺旋状ネジ部
９  円錐台型尖塔部
９’  回転駆動部係合部
１０  外部回転機構
１０’  回転駆動部
１１  第１の面
１２  第２の面
３０  機能部材
３１  挿入突起部
３２  雄型螺旋状ネジ部
３３  挿入係止部材
３４  保持・係止部材
３５  穴あき状の係止部材
３６  巻き取り、巻き出し可能部材
３７  筒状体
３８  表示機能
３９  表示部材
５０  構築物
５１  接着剤
５２  孔部
６０、６１  蓋部
【図１】
0006587926.tif 000002
【図２】
0006587926.tif 000003
【図３】
0006587926.tif 000004
【図４】
0006587926.tif 000005
【図５】
0006587926.tif 000006
【図６】
0006587926.tif 000007